(57)【要約】【課題】高価な物品に偽造防止の対策を講じても、複雑な手順が必要な対策では、識別が容易では無く、手間がかかり、使い勝手が悪いという問題を生じていた。【解決手段】電波を供給するＲＦドライバ２５と、無線出力を受信するＲＦ受信回路２６と、データを記憶するＥＥＰＲＯＭ２４と、ＥＥＰＲＯＭ２４に記憶された前記データとＲＦ受信回路２６に受信された受信情報を比較するＣＰＵ２０と、ＣＰＵ２０からの比較結果を表示する液晶表示部２２とを備えた。また、比較器による比較結果に応じて、受信情報を演算する演算回路を備え、より確実に鑑定することが出来る。【選択図】図１
2005107058.tif 000002
【特許請求の範囲】
【請求項１】
電波を受け取って電源発生し、情報を無線送信する模造品防止用タグからの前記情報を受信する模造品防止識別装置であって、
前記模造品防止用タグに対して、電波を供給する電波供給回路と、前記模造品防止用タグからの無線出力を受信する受信回路と、データを記憶する記憶装置と、前記記憶装置に記憶された前記データと受信回路に受信された受信情報を比較する比較回路と、前記比較回路からの比較結果を表示する表示部とを備えたことを特徴とする模造品防止識別装置。
【請求項２】
電波を受け取って電源発生し、情報を無線受信する模造品防止用タグからの前記情報を送信する模造品防止識別装置であって、
前記模造品防止用タグに対して、電波を供給する電波供給回路と、前記模造品防止用タグに対して、情報を送信する送信回路とを備えたことを特徴とする模造品防止識別装置。
【請求項３】
電波を受け取って電源発生し、情報を無線送信する模造品防止用タグからの前記情報を受信する模造品防止識別装置であって、
前記模造品防止用タグに対して、電波を供給する電波供給回路と、前記模造品防止用タグからの無線出力を受信する受信回路と、データを記憶する記憶装置と、前記記憶装置に記憶された前記データと受信回路に受信された受信情報を比較する比較回路と、前記比較回路の結果に応じて、前記記憶装置に記憶されたデータを無線出力する送信回路と、前記比較回路からの比較結果を表示する表示部とを備えたことを特徴とする模造品防止識別装置。
【請求項４】
前記比較器の比較結果に応じて、前記受信情報を演算する演算回路とを備えたことを特徴とする請求項１又は、請求項３の模造品防止識別装置。
【請求項５】
前記比較器の比較結果に応じて、放音する放音装置を備えたことを特徴とする請求項１又は、請求項３の模造品防止識別装置。
【発明の詳細な説明】
【技術分野】
【０００１】
本発明は、偽造しにくい模造品防止用タグを、無線通信により容易に識別する模造品防止識別装置に関する。
【背景技術】
【０００２】
従来、模造品を防止するために、製品に偽造防止ラベルを貼り、例えば、紫外線を照射することによって、ラベルの真偽を判断するものや、例えば、製造シリアルナンバーが付けられるなど、偽造されにくい対策を取っている。
【特許文献１】特許公開２０００−２００２２２号公報
【発明の開示】
【発明が解決しようとする課題】
【０００３】
しかしながら、高価な物品に偽造防止の対策を講じても、複雑な手順が必要な対策では、識別が容易では無く、手間がかかり、使い勝手が悪いという問題を生じていた。
【課題を解決するための手段】
【０００４】
本発明は、上記問題に鑑みて成されたものであり、電波を受け取って電源発生し、情報を無線送信する模造品防止用タグからの前記情報を受信する模造品防止識別装置であって、前記模造品防止用タグに対して、電波を供給する電波供給回路と、前記模造品防止用タグからの無線出力を受信する受信回路と、データを記憶する記憶装置と、前記記憶装置に記憶された前記データと受信回路に受信された受信情報を比較する比較回路と、前記比較回路からの比較結果を表示する表示部とを備えたことを特徴とする。
【０００５】
また、電波を受け取って電源発生し、情報を無線受信する模造品防止用タグからの前記情報を送信する模造品防止識別装置であって、前記模造品防止用タグに対して、電波を供給する電波供給回路と、前記模造品防止用タグに対して、情報を送信する送信回路とを備えたことを特徴とする。また、電波を受け取って電源発生し、情報を無線送信する模造品防止用タグからの前記情報を受信する模造品防止識別装置であって、前記模造品防止用タグに対して、電波を供給する電波供給回路と、前記模造品防止用タグからの無線出力を受信する受信回路と、データを記憶する記憶装置と、前記記憶装置に記憶された前記データと受信回路に受信された受信情報を比較する比較回路と、前記比較回路の結果に応じて、前記記憶装置に記憶されたデータを無線出力する送信回路と、前記比較回路からの比較結果を表示する表示部とを備えたことを特徴とする。また、前記比較器の比較結果に応じて、前記受信情報を演算する演算回路とを備えたことを特徴とする。また、前記比較器の比較結果に応じて、放音する放音装置を備えたことを特徴とする。
【発明の効果】
【０００６】
本発明によれば、電波を受け取って電源発生し、情報を無線送信する模造品防止用タグからの、前記情報を受信する模造品防止識別装置であって、前記模造品防止用タグに対して、電波を供給する電波供給回路と、前記模造品防止用タグからの無線出力を受信する受信回路と、データを記憶する記憶装置と、前記記憶装置に記憶された前記データと受信回路に受信された受信情報を比較する比較回路と、前記比較回路からの比較結果を表示する表示部とを備えたことで、無線通信を用いた通信による認証、識別が可能になり、本物と模造品における識別の信頼性が高まる。また、表示装置を備え、本物と模造品の鑑定結果が容易に判断できる様になる。また、演算回路を備えることで、演算と比較を数回繰り返すことにより、識別の信頼性が高まり、本物と模造品の鑑定が確実出来る様になる。限られた時間内に、回答が得られなければ、模造品と判断する。
【発明を実施するための最良の形態】
【０００７】
以下、図面を参照して、本発明の実施形態について、説明する。
【０００８】
図１は、本発明の模造品防止識別装置に内蔵されるブロック図であり、図２の識別装置２の詳細を示すブロック図である。識別装置２において、２０はリーダの制御を司る中央演算装置（以下ＣＰＵと言う）、２１は操作スイッチ、２２は液晶表示部、２３はシステムＣＬＫおよび時計機能に用いられる発振子、２４はプログラムと製造者コードが収納されたＥＥＰＲＯＭ、２５はＲＦドライバ、２６はＲＦ受信回路、２７はアンテナである。
【０００９】
図１の識別装置は、操作スイッチ２１を押すと、ＣＰＵ２０は、外部割込みにより、動作を開始する。ＣＰＵ２０は、発振子２３からクロックを供給され、ＥＥＰＲＯＭ２４内部にあるプログラムに応じて、処理を行う。ＣＰＵ２０からの命令により、ＲＦドライバ２５は、アンテナ２７から無線出力する。また、アンテナ２７は、受信することも可能であり、受信情報は、ＲＦ受信回路２６へ送られる。ＲＦ受信回路２６では、アナログ情報からデジタル情報に変換し、ＣＰＵ２０へ送る。ＣＰＵ２０は、ＲＦ受信回路２６からのデジタル情報を、内部のレジスタに保存する。
ＥＥＰＲＯＭ２４には、製造者コードも記憶されており、ＲＦ受信回路２６からのデジタル情報とＥＥＰＲＯＭ２４の製造者コードをＣＰＵ２０において、比較することが出来、比較結果を、液晶表示部２２に表示すること出来る。
【００１０】
また、ＥＥＰＲＯＭ２４内部にあるプログラムに応じては、ＣＰＵ２０はＥＥＰＲＯＭ２４の製造者コードを、ＲＦドライバ２５へ送り、ＲＦドライバ２５では、デジタル情報から、アナログ情報へ変換し、アンテナ２７から、無線出力することが出来る。
【００１１】
図２の１はＩＣタグ、２は識別装置、３はブランド品バッグである。ブランド品バッグ３には、模造品と区別するために、ＩＣタグ１が付いている。
【００１２】
本物と模造品とを識別する手法は、ＩＣタグ１おける識別と、識別装置２おける識別の２通りがある。
【００１３】
第１の識別手法として、ＩＣタグ１において、判別を行う手法を説明する。識別装置２から、送られてくる製造者コードを用いて、ＩＣタグ１内にある記録された製造者コードと比較し、一致すれば本物と識別しＩＣタグ１の発光ダイオードが光り、一致しなければ模造品と識別しＩＣタグ１の発光ダイオードは光らない。
【００１４】
第２の識別手法として、識別装置２において、判別を行う手法を説明する。前記ＩＣタグ１内に記録された製造者コードを、前記ＩＣタグ内のアンテナから無線出力し、識別装置２において、受信した製造者コードと、識別装置２内にある製造者コードとを比較し、正しければ本物と識別し識別装置２の液晶表示部２２に「本物」表示し、正しくなければ模造品と識別し識別装置２の液晶表示部２２に「模造品」表示をすることで、本物と模造品の識別を行う。
【００１５】
また、第１の識別手法と第２の識別手法を同時に行っても良い。
【００１６】
図３は、図２のＩＣタグ１及び、識別装置２の詳細を示すブロック図である。
【００１７】
ＩＣタグ１において、１０は制御を司るＣＰＵ、１１はＲＦドライバ、１２はＲＦ受信回路、１３はプログラムと製造者コードが収納されたＥＥＰＲＯＭ、１４は発光ダイオード、１５はアンテナである。
【００１８】
まず、識別装置２の操作スイッチ２１をＩＣタグ１の近くでＯＮし、識別装置２のＲＦドライバ２５において発生した共振波形をアンテナ２７より、１０ｍＷ程度の微弱無線を出力する。
【００１９】
一方、微弱無線の出力を受けたＩＣタグ１のＲＦ受信回路１２ではキャリアを整流して電源電圧ＶＤＤを自励発電し、自励発電されたＶＤＤをＩＣタグ１内に供給する。
【００２０】
第１の識別手法の場合は、識別装置２は、ＥＥＰＲＯＭ２４内にある製造者コードをアンテナ２７から出力する。ＩＣタグ１は、無線データとして送られてくる前記製造者コードをＲＦ受信回路１２にて受信し、前記製造者コードをデジタル値に変換し、ＣＰＵ１０へ出力し、ＣＰＵ１０はデジタル値の前記製造者コードを得て、ＣＰＵ１０のレジスタに一時記憶し、ＣＰＵ１０は前記の内部レジスタに一時記憶したデータと予め用意されているＥＥＰＲＯＭ１３内にある製造者コードを比較し、一致する場合は発光ダイオード１４を発光させ、一致しない場合は発光ダイオード１４を発光させないことで、本物と模造品との識別を瞬時に行うことが出来る。また、識別装置２から、限られた時間内に、正しい製造者コードが得られなければ、模造品と判断する。
【００２１】
第２の識別手法の場合は、ＩＣタグ１において、ＣＰＵ１０が起動し、ＥＥＰＲＯＭ１３内にある製造者コードをＲＦドライバ１１経由にてアンテナ１５から出力する。識別装置２において、ＩＣタグ１のＥＥＰＲＯＭ１３内にある製造者コードをＲＦ受信回路２６において受信し、前記製造者コードをデジタル値に変換し、ＣＰＵ２０へ出力し、ＣＰＵ２０はデジタル値の前記製造者コードを得て、ＣＰＵ２０のレジスタに一時記憶し、ＣＰＵ２０は前記の内部レジスタに一時記憶したデータと予め用意されているＥＥＰＲＯＭ２４内にある製造者コードを比較し、一致する場合は液晶表示部２２において「本物」と表示し、一致しない場合は液晶表示部２２において「模造品」と表示することで、本物と模造品との識別を瞬時に行うことが出来る。また、ＩＣタグ１から、限られた時間内に、正しい製造者コードが得られなければ、模造品と判断する。
【００２２】
上述した手法では、製造者コードの比較なので、ＩＣタグ１を偽造しょうとした場合、発光ダイオード１４が光る無線のパターンを見つけることは、例えば、製造者コードが１６ビットの場合には、1／２５６の確率であり、比較的に容易に前記製造者コードを発見できる。
【００２３】
図４は、本発明の他の実施形態を示すフローチャートであり、ＩＣタグ１の偽造を困難にする手法である。
【００２４】
まず、識別装置２の操作スイッチ２１をＩＣタグ１の近くでＯＮし、識別装置２のＲＦドライバ２５において発生した共振波形をアンテナ２７より、１０ｍＷ程度の微弱無線を出力する。（ステップ１）
微弱無線の出力を受けたＩＣタグ１のＲＦ受信回路１２ではキャリアを整流して電源電圧ＶＤＤを自励発電し、自励発電されたＶＤＤをＩＣタグ１内に供給する。（ステップ２）
識別装置２は、ＥＥＰＲＯＭ２４内にある製造者コードをアンテナ２７から出力する。（ステップ３）
ＩＣタグ１は、ＲＦ受信回路１２にて受信し、前記製造者コードをデジタル値に変換し、ＣＰＵ１０へ出力する。（ステップ４）
ＣＰＵ１０はデジタル値の前記製造者コードを得て、ＣＰＵ１０のレジスタに一時記憶し、ＣＰＵ１０は前記の内部レジスタに一時記憶したデータと予め用意されているＥＥＰＲＯＭ１３内にある１回目の製造者コードを比較する。（ステップ５）
そして、Ｓ５の判断の結果、ＥＥＰＲＯＭ１３内にある１回目の製造者コードと一致しないと判別された場合（Ｓ５：ＮＯ）には、処理を終了する。
【００２５】
１回目の製造者コードが一致すると判断される場合（Ｓ５：ＹＥＳ）には、ＩＣタグ１のＣＰＵ１０において、ＥＥＰＲＯＭ１３内にある製造者コードを演算し、変更された製造者コードを演算結果として、アンテナ１５から出力する。（ステップ６）
識別装置２は、受信データである前記変更された製造者コードをＣＰＵ２０のレジスタに記憶し、ＣＰＵ２０において、もう一度演算する。２度目の演算結果をアンテナ２７から出力する。（ステップ７）
ＩＣタグ１では、受信した２度目の演算結果と、予め用意されているＥＥＰＲＯＭ１３内にある２回目の演算結果コードと比較する。（ステップ８）
そして、Ｓ８の判断の結果、２回目の演算結果である製造者コードと、ＥＥＰＲＯＭ１３内にある前記第２の演算結果コードが一致しないと判別された場合（Ｓ８：ＮＯ）には、処理を終了する。
【００２６】
１回目の製造者コードが一致すると判断される場合（Ｓ８：ＹＥＳ）には、ＩＣタグ１の発光ダイオード１４を点灯する。
【００２７】
図４のフローチャートによる手法を取った場合には、１回目の製造者コードが一致した後、限られた時間中に、演算により２回変更された演算結果コードと、２回目の製造者コードを比較する必要があり、発光ダイオード１４が光る無線のパターンを見つけることは不可能に近くなる。
【００２８】
また、図３のフローチャートは、代表的な例を示した実施例であり、比較のため用いられるデータ数、演算の回数及び、ＩＣタグ、識別装置における期待値の比較回数については、特に限定されない。
【００２９】
図５は、本発明の模造品防止システム示すシステム図であり、ＩＣタグから、第１の製造者コードを無線出力する。識別装置では、第１の製造者コードを受信し、識別装置内のメモリに記憶している第２の製造者コードとの比較を行い、表示装置に比較結果を表示する模造品防止システムである。
【００３０】
図６は、本発明の模造品防止システム示すシステム図であり、識別装置から、第２の製造者コードを無線出力する。ＩＣタグでは、第２の製造者コードを受信し、ＩＣタグ内のメモリに記憶している第１の製造者コードと、受信した第２の製造者コードとの比較を行い、一致した場合には、発光ダイオードを発光させることで、識別する模造品防止システムである。
【００３１】
図７は、本発明の模造品防止システム示すシステム図であり、識別装置から、第２の製造者コードを無線出力する。ＩＣタグでは、第２の製造者コードを受信し、ＩＣタグ内のメモリに記憶している第１の製造者コードと、受信した第２の製造者コードとの比較を行い、一致した場合には、ＩＣタグ内のメモリに記憶している第３の製造者コードを出力する。更に、識別装置では、第３の製造者コードを受信し、識別装置内のメモリに記憶している第４の製造者コードと受信した第３の製造者コードとの比較を行い、表示装置に比較結果を表示する模造品防止システムである。
【００３２】
図８は、本発明の模造品防止システム示すシステム図であり、ＩＣタグから、第１の製造者コードを無線出力する。識別装置では、第１の製造者コードを受信し、識別装置内のメモリに記憶している第２の製造者コードとの比較を行い、識別装置内の演算回路にて、第１の製造者コードを所定の演算を行い、演算結果を出力する。更に、ＩＣタグでは、ＩＣタグの演算回路を用いて、第１の製造者コードを所定の演算を行い、期待値を得る。識別装置から、演算結果を受信し、識別装置からの演算結果と、期待値が一致すれば、発光ダイオードを発光させる。
【図面の簡単な説明】
【００３３】
【図１】本発明の模造品防止識別装置を示すブロック図である。
【図２】本発明の模造品防止識別装置を含むシステム図である。
【図３】本発明の模造品防止識別装置を含むブロック図である。
【図４】本発明の他の実施形態を示すフローチャートである。
【図５】本発明の模造品防止識別装置を含むシステム図である。
【図６】本発明の模造品防止識別装置を含むシステム図である。
【図７】本発明の模造品防止識別装置を含むシステム図である。
【図８】本発明の模造品防止識別装置を含むシステム図である。
【符号の説明】
【００３４】
１  ＩＣタグ、  ２  識別装置、  ３  ブランド品バッグ。
【図１】
2005107058.tif 000003
【図２】
2005107058.tif 000004
【図３】
2005107058.tif 000005
【図４】
2005107058.tif 000006
【図５】
2005107058.tif 000007
【図６】
2005107058.tif 000008
【図７】
2005107058.tif 000009
【図８】
2005107058.tif 000010